(57)【要約】【課  題】従来の通風路内の励起光源と光触媒フィルターが構成する脱臭装置に、更に、光触媒フィルターに反射覆いを構成し、接触機能を増大せしめて脱臭効果を高める。【解決手段】通風路の中央部に酸化チタンを活性化させる励起光源に光触媒フィルターを数枚通し、光触媒フィルターを所定の間隔をもって配列させ、核光触媒フィルターの各辺両側端面に反射板を励起光源より１０度から８０度の傾向きの範囲にて覆う様に選択配置され得る機能を設けて構成され、これにより反射効率のより高い反射効果を持つ反射板が、今までにない光触媒フィルターの脱臭作用効率を更に高める脱臭装置を提供することができる。【選択図】図１
2004283185.tif 000002
【特許請求の範囲】
【請求項１】
断面方形の通風路に複数の光触媒フィルターが通風路内断面全面に設けられ、前記断面方形の通風路の光触媒フィルター中央部に酸化チタンを活性化させる励起光源が貫通している。酸化チタンを含有した複数の光触媒フィルターの各辺両側端面には、前記励起光源まで台形状の反射板が同一角度にて設けられ、前記光触媒フィルターには酸化分解作用が有る酸化チタンを持たしめて、反射板と反射板の間で発生する渦巻き流と反射効率の高い反射板が、更に光触媒フィルターの脱臭作用効率を向上させる事を特徴とする脱臭装置。
【請求項２】
前記フィルター各辺両側端面の前記台形状の反射板は前記光触媒フィルターの各辺両側端面より１０度から８０度の範囲にて選択した角度の傾きの範囲で中央の励起光源まで配置されている事を特徴とする請求項１記載の脱臭装置。
【請求項３】
前記反射板の材質はステンレス材若しくは鉄・プラスチック・塩ビ・アクリル板等を使用し、その表面を鍍金被膜させ、反射効率を高度化構成している事を特徴とする請求項１及び請求項２記載の脱臭装置。
【発明の詳細な説明】
【０００１】
【発明に属する技術分野】
本発明は、主に室内の空気を循環しながら悪臭を除去する事のできる光触媒を用いた脱臭装置に関する。
【０００２】
【従来の技術】
従来の脱臭装置は、通風路中の空気の流れの主方向に沿って水平に置かれた容器内に、直行する面に沿って空気流路を確保してなるハニカム構造とし、励起光源をこの中央を貫通するように配置し、数種の担持体毎に異なる光触媒を担持してなるものである。（例えば、特許文献１参照。）
【０００３】
以下、特許文献１（特開平９−１３５８９１号）図１により、従来の脱臭装置について説明する。
図において６は空気を吸引する送風ファンで吸気口２、排気口３を有している。ケーシング１の内部には光触媒の円環状の担持体１２が所定の間隔をもって多重配置され、脱臭室１１を形成し、脱臭室１１の内周面に反射フィルム１３を貼着し、光触媒を脱臭室１１内に反射させている。
【０００４】
また、かかる装置では通風路と、上記送風手段と光触媒にて、通風路を平行に通過する空気を、各担持体１２毎に異なる種類の担当体にて構成している。
【０００５】
従来の光触媒を用いた他の方式の脱臭装置に、複数の吸着板状体を容器内に段階的に配置したものがある。（例えば、特許文献２参照）。
【０００６】
以下、特許文献２（特開平１１−２６２３４０号）図２により、従来の光触媒を用いた他の脱臭装置について説明する。
図において、多孔質の粒状基材に光触媒を担持させてなる吸着材を網目状板間に充填してなる複数の吸着板状体を容器内に間隔をおいて平行に上下方向に配置し、吸着板状間に紫外線ランプを配置して、核処理ガスを上向流又は下向き流として通過させることにより脱臭処理通路を確保している。
【０００７】
この場合、紫外線ランプ６光源からの光が照射される光触媒フィルター即ち、吸着板状体５の片面側、網目状板８、９での光触媒による脱臭効果が主に得られ、板状光触媒脱臭エレメント即ち、吸着板状体５の表面に接した被処理ガスのみにしか十分な脱臭処理を行うことが出来ない。そのため、十分な脱臭処理を行うためには、複数の励起光源６と光触媒フィルター５との組合せを通路内に何重にも設置する必要があった。
【０００８】
【特許文献１】
特開平９−１３５８９１号公報（第３頁、第１図）
【特許文献２】
特開平１１−２６２３４０号公報（第２頁、第２図、第３図）
【０００９】
【発明が解決しようとする課題】
しかしながら技術文献１に示す装置では、光触媒の担持体１２が通風路中の空気の流れの主方向に対して略直行する面に沿って延在すると共に、空気の流れ方向に沿って空気流路を確保し、励起光源が空気の流れに沿って円柱状に構成させたに過ぎない。
【００１０】
また技術文献２に示す従来の装置では、被処理ガスを上面流又は下面流として段階的に通過させることにより十分な脱臭処理を行わせるためには、どうしても装置構成が大型化してしまうという問題点があり、また、その割りには、脱臭効率が悪いという欠点があった。また光触媒フィルター１枚に対して２本の励起光源が必要であり、十分な脱臭処理を行うには光触媒フィルターの枚数より１本多い励起光源が必要となり効率が悪い。
【００１１】
本発明は技術文献１の単に円柱状に空気の流れ方向に沿って空気流路を構成したに過ぎない脱臭装置。及び技術文献２の光触媒フィルター１枚に対し、２本の励起光源を数段階に必要とする装置とは異なり、反射効果と加熱効果を高め、空気の流路を渦巻き回動させて触媒をより効果的に悪臭成分の分解・脱臭を行うことが可能な脱臭装置を提供することを目的とするものである。
【００１２】
【課題を解決するための手段】
本発明は上記目的を達成するため、断面方形の通風路に複数の光触媒フィルター６を通風路内断面全面に設け、前記断面方形の通風路の光触媒フィルター６の中央部に酸化チタンを活性化させる励起光源４を貫通させ、複数の光触媒フィルター６の各辺両側端面には前記励起光源４まで風流を制御させる装置、即ち、台形状の反射板５が各辺両面端面に設けられたものである。
【００１３】
前記光触媒フィルター６の反射板５は、酸化分解作用の有る酸化チタンを担持させた光触媒フィルター６の効力を、反射板５の内側で空気を渦巻かせる作用をさせることにより、今まで出願されたものより更に脱臭効率を向上させる事が出来る脱臭装置を提供することができた。特に、前記フィルター６の各辺両側端面に装着された前記台形状の反射板５は、前記光触媒フィルター６の各辺両側端面より１０度から８０度の範囲内にて選択維持され、その効用は角度の傾きで中央の励起光源まで配置されていると更に効果が良い。かつ、前記反射板５の材質はステンレス材若しくは鉄・プラスチック・塩ビ・アクリル板に表面を鍍金被膜させて作成し、更に反射効率を上げて構成したものとする。
【００１４】
上記の解決手段による作用はこのように小型化構成させることで、脱臭すべき成分を含む空気が光触媒フィルター６に接する確率が高くなり、しかも反射板５の設定角度を選択設定させることにより、光触媒フィルター６への励起光源４の照射増強効率も種々選択でき、今まで以上に高い脱臭作用を取得することが出来る。
【００１５】
【発明の実施の形態】
以下、本発明の実施の形態を図面に基づいて説明する。
【００１６】
図１は本発明を実施した脱臭装置の構造を示す側断面図であり、図２はそのＡ−Ａ線について見た断面図である。ケース１の一端には吸気ファン２が設けられ他端側には排気口３が設けられている。またケース１の中心軸に沿って励起光源のブラックライト４が貫通している。なお、ブラックライト４の波長は３５２ｎｍの近紫外線を効率よく放射するランプを用い、光触媒を励起させる波長は、２００ｎｍから４００ｎｍで、この波長を発生するランプであれば紫外線ランプやケミカルランプでも良い。
【００１７】
図１では光触媒フィルター６の各辺両側端面より反射板５がブラックライト４まで４５度の角度で配置されている。
ケース１の内部には、図２に示すような状態に光触媒フィルター６が、図１に示されるように所定の間隔をもって多重配列され、光触媒フィルター６の各辺両側端面より反射板５が前記励起光源まで４５度の角度で配置されて、ブラックライト４からの紫外線がこの反射板５で反射して光触媒フィルター６の隅々まで効率的に光触媒を励起させるように構成されている。
【００１８】
反射板５は光触媒フィルター６の各辺両側端面より１０度から８０度の角度の傾き範囲に選定し設定することが可能であるが、反射板５があっても高い脱臭効果を得るため、悪臭を吸引するための適合したファンモーターの吸気ファン２が装着され、吸引効率十分な風量を得ている。
【００１９】
また、光触媒フィルター６はケージーパック社製を使用し。特許公開平９−５９
８９２の
【００２０】
【発明の効果】
【００２１】
【００２２】に記載されている通り、脱臭効果が顕著な修飾超微細酸化チタンを用いることにより、脱臭効果は一段と顕著となり、通常の吸着系の脱臭剤では除去しがたい硫化水素やアンモニアのような悪臭成分も効果的に除去できる。
【００２３】
従って、かかるケージーパック社製の光触媒フィルターを本発明の脱臭に用いながら励起光を照射すれば脱臭能力が効率的に回復するため、使用すれば本発明では脱臭効果を繰り返し再使用する事ができる。
【００２４】
本発明の脱臭装置図１の脱臭効果と、反射板５の無い他社の方式形態である特許文献１の特開平９−１３５８９１に記載されている脱臭装置図３の脱臭装置を用いて悪臭物質（アンモニアＮＨ３）を吸気口ファンにより装置内部に吸引して脱臭装置内部を３分間通し、そして吸気口ファン側と排気口側で測定した互いの脱臭効果を、その比較結果を表１に示す。
【００２５】
表１  悪臭成分除去率比較表
2004283185.tif 000003
図１は本発明脱臭装置・図３は反射板の無い場合の脱臭装置
（北川式ガス検知管にて測定）
【００２６】
その結果、表１により、本発明の脱臭装置は悪臭物質（アンモニアＮＨ３）の除去率は１００％で、反射板５を装備していない脱臭装置は悪臭物質（アンモニアＮＨ３）の除去率７１％の結果が得られた。数値で明らかな様に、本発明の反射板５を装備している脱臭装置の方が良好な除去率を取得するとの結果が証明出来た。
【００２７】
【発明の効果】
上記説明の脱臭装置によれば断面方形の通風路に複数の光触媒フィルターが通風路全面に設けられ、前記断面方形の通風路の光触媒フィルター中央部に励起光源が貫通している、前記複数の光触媒フィルターの各辺両側端面には前記励起光源まで台形状の反射板が設けられ、この光触媒フィルター各辺両側端面より励起光源まで反射板があることにより、光触媒フィルターへの励起光源からの照射効率が向上でき、それと共に反射板と反射板の間を空気が通る時発生する渦巻き流の作用により、悪臭成分を含む空気とフィルターとの接触効率が向上し、触媒反応が促進され、脱臭効率が向上する今までに無かった脱臭装置を得ることができた。
【００２８】
しかも脱臭装置が小型化し、励起光源が１本で複数の光触媒フィルターの触媒反応を益々促進させるので脱臭効率がよい。
【図面の簡単な説明】
【図１】本発明の脱臭装置の構成を示す側断面図。
【図２】本発明の脱臭装置のＡ−Ａ線の断面図。
【図３】反射板の無い他社脱臭装置の構成を示す側断面図。
【符号の説明】
１  ケース
２  吸気口ファン
３  排気口
４  励起光源
５  反射板
６  光触媒フィルター
【図１】
2004283185.tif 000004
【図２】
2004283185.tif 000005
【図３】
2004283185.tif 000006